(57)【要約】【課題】調整作業を短時間で容易に行うことができる調整台座を提供する。【解決手段】基台座部２及び／又は中間台座部３を周方向へ回動させてピン穴５を形成し、該ピン穴５内にピン６を挿入して、基台座部２と中間台座部３との周方向の相対位置を所要の位置で固定する。基台座部２と中間台座部３とが対向する面である基台座部２の表面及び中間台座部３の裏面に対して基台座部２の裏面及び中間台座部３の表面は、それぞれ傾斜させてあり、アンカーとその周囲に施工した構造物の表面とのなす角度が直角からズレている場合、基台座部２及び／又は中間台座部３を回動させることによって、前記ズレが相殺されるように調整する。【選択図】図１
2004211535.tif 000002
【特許請求の範囲】
【請求項１】
法面から延出したアンカーに外嵌させ、一側からこれと対峙する他側へその厚さを漸次厚くなした円形環状の第１台座部と、この第１台座部上に載置され、一側からこれと対峙する他側へその厚さを漸次厚くなした円形環状の第２台座部とを備え、前記第１台座部及び／又は第２台座部を周方向へ回動させることによって、その表面の角度を調整可能になした調整台座において、
前記第１台座部及び第２台座部は、略同じ直径を有し、互いに周方向へ摺動可能に嵌合させてあり、前記第１台座部の第２台座部に対向する表面の外周縁に、半円筒状の複数の第１凹部が周方向へ適宜の間隔を隔てて放射状に設けてあり、前記第２台座部の第１台座部に対向する底面の外周縁に、前記第１凹部と略同じ寸法の複数の第２凹部が、第１凹部の間隔と異なる間隔で放射状に設けてあり、周方向の任意の位置で一致させた第１凹部及び第２凹部によって、ピンを嵌入させるピン穴が形成されるようにしてあることを特徴とする調整台座。
【請求項２】
前記第１台座部（第２台座部）に、前記第２台座部（第１台座部）を周方向へ案内する案内部が凹設してあり、前記第２台座部（第１台座部）に前記案内部に摺動自在に係合する係合部が突設してある請求項１記載の調整台座。
【請求項３】
前記第１凹部及び第２凹部の直径は、内側から外側へ漸次大きくなしてある請求項１又は２記載の調整台座。
【請求項４】
前記ピン穴に嵌入させるピンを具備する請求項１から３のいずれかに記載の調整台座。
【請求項５】
前記第２台座部上に載置する円形環状の第３台座部を具備し、前記第２台座部の表面中央に、第３台座部を支持する平椀状の雌部が凹設してあり、前記第３台座部の第２台座部の雌部に対向する部分に、この雌部に揺動可能及び周方向へ摺動可能に嵌合する平椀状の雄部が突設してある請求項１から４のいずれかに記載の調整台座。
【請求項６】
前記第３台座部の雄部の周囲につば部が突設してあり、前記第２台座部の雌部の周囲に、前記第３台座部が適宜角度まで揺動した場合に前記つば部が当接する縁部が設けてある請求項５記載の調整台座。
【発明の詳細な説明】
【技術分野】
【０００１】
本発明は、法面の土留めを行うためのアンカーの固定に使用される台座であって、特に角度調整機能を有する調整台座に関する。
【背景技術】
【０００２】
法面の土留めを行う工法としてアンカー工法が実施されている。アンカー工法では、法面にコンクリート製、金属製又は樹脂製の構造体を施工すると共に、この構造体の適宜位置に構造体を貫通し、地盤中を所要深さまで削掘したアンカー用孔内にワイヤケーブルを用いてなるアンカーの一端を挿入した後、アンカー用孔の底部にコンクリートミールを充填・固化させて前記アンカーを法面に固定する。そして、アンカーのアンカー用孔から突出した他端側部分に、環状の台座を外嵌させ、アンカーの台座から延出した部分をジャッキにて挟持し、台座の表面を支持面としてジャッキによってアンカーを展張させた後、例えば、台座上の定着金具内を挿通させたアンカーを楔で固定することによって、アンカーの引張力を台座を介して前記構造体に加え、これによって、法面の土留めを行うものである。
【０００３】
このようなアンカー工法にあっては、ジャッキによってアンカーを展張する場合に、台座の表面とアンカーとが直交する状態になっていることが重要である。そこで、種々の傾斜の法面に対応すべく、その表面の角度を調整し得るようになした調整台座が開発されている。
【０００４】
図１１は、後記する特許文献に開示された調整台座の使用様態を示す側断面図であり、図中、９０は、法面に施工した構造体の適宜位置上に固定したコンクリート製の受圧板、５０は調整台座である。受圧板９０の中央には貫通孔が開設してあり、受圧板９０は貫通孔が、構造体を貫通し法面に開設した穴に連通するアンカー用穴と同軸上に位置決めしてある。
【０００５】
調整台座５０は、基台座部６０と上部台座部８０との間に中間台座部７０を介装してなり、前記基台座部６０は、受圧板９０に当接させる環状のベースプレート６３を具備している。ベースプレート６３の裏面側には、前述したアンカー用穴に内嵌させるアンカーを案内する案内管６４がベースプレート６３に対して適宜の傾斜角度で連結してあり、該案内管６４は前述したアンカー用穴に内嵌させてある。ベースプレート６３の表面側には、中央に孔を開設してなる円盤状の下部支持プレート６１がベースプレート６３と適宜の傾斜角度になるように配設してあり、下部支持プレート６１は、ベースプレート６３に立設した台座管６２によって支持されている。この下部支持プレート６１の表面には、複数の三角歯を設けてなる第１内歯リングプレート６１ａが固着してある。
【０００６】
中央に孔を開設してなる円盤状の中間台座部７０は、その裏面に対して表面が傾斜し、側断面視において、一側から他側に向かってその厚さが漸次厚い略横転直角台形状をなしており、中間台座部７０の裏面には、前記第１内歯リングプレート６１ａに噛合する第１外歯リングプレート７１ａが固着してある。中間台座部７０の表面側には上部台座部８０が載置してあり、上部台座部８０は、その表面に対して裏面が傾斜した以外は中間台座部７０と同様の形状をしている。そして、前同様、上部台座部８０の裏面に第２内歯リングプレート８１ａが固着してあり、中間台座部７０の表面に前記第２内歯リングプレート８１ａに噛合する第２外歯リングプレート７１ｂが固着してある。
【０００７】
このような調整台座にあっては、案内管６４を受圧板９０の貫通孔及びアンカー用穴内に嵌合させて基台座部６０を配置すると共に、その一端側をアンカー用穴内に固定したアンカーの他端側を、基台座部６０の案内管６４、ベースプレート６３、台座管６２及び下部支持プレート６１内を挿通させ、更に、このアンカーの他端側に外嵌させた中間台座部７０及び上部台座部８０を基台座部６０上に設置する。そして、上部台座部８０の表面とアンカーとのなす角度が可及的に９０度になるように、中間台座部７０及び／又は上部台座部８０をアンカー回りに適宜角度回動させ、ジャッキによってアンカーを展張させた後、アンカーと調整台座との間に楔を打入する。
【特許文献１】特開２０００−２５７０５９号公報
【発明の開示】
【発明が解決しようとする課題】
【０００８】
しかしながら、上部台座部８０の表面とアンカーとのなす角度を調整するには、アンカーをジャッキによって軽度に展張させることによって、調整台座部及びアンカーを仮止めしなければならないのであるが、従来の調整台座にあっては、中間台座部７０及び／又は上部台座部８０をアンカー回りに適宜角度回動させるには、ジャッキをチェンブロックによって支持すると共に、ジャッキによる展張を解除した後、大重量の中間台座部７０の第１外歯リングプレート７１ａと下部支持プレート６１の第１内歯リングプレート６１ａとの噛合、及び／又は上部台座部８０の第２内歯リングプレート８１ａと中間台座部７０の第２外歯リングプレート７１ｂとの噛合を開放させ、中間台座部７０及び／又は上部台座部８０をアンカー回りに回動させた後、再び中間台座部７０の第１外歯リングプレート７１ａと下部支持プレート６１の第１内歯リングプレート６１ａとを噛合させ、及び／又は上部台座部８０の第２内歯リングプレート８１ａと中間台座部７０の第２外歯リングプレート７１ｂとを噛合させ、その後、ジャッキによる仮止めを行うという作業を繰り返さなければならず、調整台座の調整作業に多大の労力、及び長時間を要するという問題があった。
【０００９】
本発明は、斯かる事情に鑑みてなされたものであって、調整作業を短時間で容易に行うことができる調整台座を提供する。
【課題を解決するための手段】
【００１０】
請求項１記載の本発明は、法面から延出したアンカーに外嵌させ、一側からこれと対峙する他側へその厚さを漸次厚くなした円形環状の第１台座部と、この第１台座部上に載置され、一側からこれと対峙する他側へその厚さを漸次厚くなした円形環状の第２台座部とを備え、前記第１台座部及び／又は第２台座部を周方向へ回動させることによって、その表面の角度を調整可能になした調整台座において、前記第１台座部及び第２台座部は、略同じ直径を有し、互いに周方向へ摺動可能に嵌合させてあり、前記第１台座部の第２台座部に対向する表面の外周縁に、半円筒状の複数の第１凹部が周方向へ適宜の間隔を隔てて放射状に設けてあり、前記第２台座部の第１台座部に対向する底面の外周縁に、前記第１凹部と略同じ寸法の複数の第２凹部が、第１凹部の間隔と異なる間隔で放射状に設けてあり、周方向の任意の位置で一致させた第１凹部及び第２凹部によって、ピンを嵌入させるピン穴が形成されるようにしてあることを特徴とする。
【００１１】
請求項２記載の本発明は、前記第１台座部（第２台座部）に、前記第２台座部（第１台座部）を周方向へ案内する案内部が凹設してあり、前記第２台座部（第１台座部）に前記案内部に摺動自在に係合する係合部が突設してあることを特徴とする。
【００１２】
請求項３記載の本発明は、前記第１凹部及び第２凹部の直径は、内側から外側へ漸次大きくなしてあることを特徴とする。
【００１３】
請求項４記載の本発明は、前記ピン穴に嵌入させるピンを具備することを特徴とする。
【００１４】
請求項５記載の本発明は、前記第２台座部上に載置する円形環状の第３台座部を具備し、前記第２台座部の表面中央に、第３台座部を支持する平椀状の雌部が凹設してあり、前記第３台座部の第２台座部の雌部に対向する部分に、この雌部に揺動可能及び周方向へ摺動可能に嵌合する平椀状の雄部が突設してあることを特徴とする。
【００１５】
請求項６記載の本発明は、前記第３台座部の雄部の周囲につば部が突設してあり、前記第２台座部の雌部の周囲に、前記第３台座部が適宜角度まで揺動した場合に前記つば部が当接する縁部が設けてあることを特徴とする。
【発明の効果】
【００１６】
請求項１記載の本発明では、第１台座部及び第２台座部は、略同じ直径を有し、互いに周方向へ摺動可能に嵌合させてあり、前記第１台座部の第２台座部に対向する表面の外周縁に、半円筒状の複数の第１凹部が周方向へ適宜の間隔を隔てて放射状に設けてあり、前記第２台座部の第１台座部に対向する底面の外周縁に、前記第１凹部と略同じ寸法の複数の第２凹部が、第１凹部の間隔と異なる間隔で放射状に設けてあり、周方向の任意の位置で一致させた第１凹部及び第２凹部によって、ピンを嵌入させるピン穴が形成されるようにしてあるため、第１台座部及び／又は第２台座部を周方向へ摺動させることによって、調整台座の表面を所要の角度に調整することができ、この状態で一致した第１凹部及び第２凹部によって形成されたピン穴にピンを嵌入するだけで、第１台座部と第２台座部との周方向の相対位置を固定することができる。従って、調整台座の調整作業を短時間で容易に行うことができる。
【００１７】
請求項２記載の本発明では、第１台座部（第２台座部）に、第２台座部（第１台座部）を周方向へ案内する案内部が凹設してあり、第２台座部（第１台座部）に前記案内部に摺動自在に係合する係合部が突設してあるため、第１台座部及び第２台座部は、互いに対向する面内でズレを生じることなく周方向へ摺動される。
【００１８】
請求項３記載の本発明では、第１凹部及び第２凹部の直径は、内側から外側へ漸次大きくなしてあるため、第１凹部及び第２凹部によって形成されたピン穴の周面はテーパ状であり、ピン穴内にピンを固嵌させることができる。
【００１９】
請求項４記載の本発明では、ピン穴に嵌入させるピンを具備するため、前述した如く第１凹部及び第２凹部によって形成されたピン穴にピンを嵌入するだけで、第１台座部と第２台座部との周方向の相対位置を固定することができ、従って、調整台座の調整作業を短時間で容易に行うことができる。
【００２０】
請求項５記載の本発明では、第２台座部上に載置する円形環状の第３台座部を具備し、第２台座部の表面中央に、第３台座部を支持する平椀状の雌部が凹設してあり、第３台座部の第２台座部の雌部に対向する部分に、この雌部に揺動可能及び周方向へ摺動可能に嵌合する平椀状の雄部が突設してあるため、第３台座部を揺動させるという容易な作業によって、調整台座の表面の角度を更に調整することができる。また、第３台座部を周方向へ摺動させることによって、調整台座の調整した表面の向きを変更することができる。一方、第２台座部の雌部及び第３台座部の雄部は共に、その曲率が緩やかな平椀状にしてあるため、アンカーを展張させる際に、雌部内で雄部に滑りが生じることが可及的に防止され、安全性が高い。
【００２１】
請求項６記載の本発明では、前記第３台座部の雄部の周囲につば部が突設してあり、前記第２台座部の雌部の周囲に、前記第３台座部が適宜角度まで揺動した場合に前記つば部が当接する縁部が設けてあるため、仮に、雌部内で雄部に滑りが生じた場合であっても、つば部が縁部に当接してそれ以上滑ることが防止される。従って、仮に、雌部内で雄部に滑りが生じた場合であっても、アンカーに過大な負荷が印加されることが防止され、安全性を更に向上させることができる。
【発明を実施するための最良の形態】
【００２２】
本発明に係る調整台座は、法面から延出したアンカーに外嵌させ、一側からこれと対峙する他側へその厚さを漸次厚くなした円形環状の第１台座部と、この第１台座部上に載置され、一側からこれと対峙する他側へその厚さを漸次厚くなした円形環状の第２台座部とを備え、前記第１台座部及び／又は第２台座部を周方向へ回動させることによって、調整台座の表面の角度を調整可能になしてある場合、第１台座部及び第２台座部を略同じ直径となし、互いに周方向へ摺動可能に嵌合させる。そして、第１台座部の第２台座部に対向する表面の外周縁に、半円筒状の複数の第１凹部が周方向へ適宜の間隔を隔てて放射状に設ける一方、第２台座部の第１台座部に対向する底面の外周縁に、第１凹部と略同じ寸法の複数の第２凹部が、第１凹部の間隔と異なる間隔で放射状に設け、これによって周方向の任意の位置で一致させた第１凹部及び第２凹部にて、ピンを嵌入させるピン穴が形成させる。
【００２３】
この第１台座部に、第２台座部を周方向へ案内する案内部を凹設し、第２台座部に、案内部に摺動自在に係合する係合部を突設する。または、第２台座部に、第１台座部を周方向へ案内する案内部を凹設し、第１台座部に、案内部に摺動自在に係合する係合部を突設する。
【００２４】
更に、第１凹部及び第２凹部の直径は、内側から外側へ漸次大きくなして、テーパ状のピン穴を形成させるようにする。
【００２５】
このピン穴にピンを嵌入させて、第１台座部及び第２台座部の周方向の相対位置を固定する。
【００２６】
一方、本発明に係る調整台座は、第２台座部上に載置する円形環状の第３台座部を具備する。そして、第２台座部の表面中央に、第３台座部を支持する平椀状の雌部を凹設し、また、第３台座部の第２台座部の雌部に対向する部分に平椀状の雄部を突設し、第２台座部の雌部に第３台座部の雄部を揺動可能及び周方向へ摺動可能に嵌合する。
【００２７】
また、第３台座部の雄部の周囲につば部を突設し、第２台座部の雌部の周囲に、第３台座部が適宜角度まで揺動した場合に第３台座部のつば部が当接する縁部を設ける。
【００２８】
以下、本発明に係る一実施例を図面に基づいて説明する。
【実施例１】
【００２９】
図１は、本発明に係る調整台座を示す側面図である。図１に示した如く、金属製の調整台座１は、適宜高さを有する円形環状の基台座部（第１台座部）２上に、該基台座部２と略同じ高さを有する円形環状の中間台座部（第２台座部）３を周方向へ摺動可能に嵌合させてなり、この中間台座部３上に、後述する無底浅釜形状の上部台座部（第３台座部）４を揺動可能及び周方向へ摺動可能に嵌合させてある。調整台座１を構成するこれら基台座部２、中間台座部３及び上部台座部４について、図２〜図８を用いて詳述する。
【００３０】
図２、図３及び図４は、図１に示した中間台座部３を示す側面図、平面図及び裏面図である。図２に示した如く、中間台座部３は環状の中間用本体３０を具備しており、該中間用本体３０は、その高さ寸法を中間用本体３０の直径方向の一側から他側にわたって漸次高くすることによって、中間用本体３０の裏面に対して中間用本体３０の表面を所要の角度、例えば６度〜８度程度傾斜させてある。
【００３１】
この中間用本体３０の表面には、図３及び図２に示した如く、中間用本体３０の外周縁から少し隔てた位置から内周縁に渡る部分を無底平鋺状になして雌部３２が凹設してあり、中間用本体３０の表面であって雌部３２以外の周縁部３５は、平坦にしてある。この雌部３２の曲率は、後述する如く上部台座部４に設けてある雄部４２（図７参照）の曲率に応じて定めてある。このように雌部３２をなだらかな曲面にすることによって、アンカーを展張固定した場合に、上部台座部４にズレが発生することが防止される。
【００３２】
一方、図４及び図２に示した如く、中間用本体３０の裏面であって開口部３４の周縁部分には、環状の係合部３３が突設してある。なお、本実施例では、環状の係合部３３を突設した場合を示したが、本発明はこれに限らず、例えば、円弧状の複数の凸部を開口部３４と同心円上に設けて係合部としてもよい。
【００３３】
また、中間用本体３０の裏面周縁部には、僅かに（１〜２度程度）テーパを付与した半円錐台形状の複数の第１凹部３１，３１，…が周方向へ適宜のピッチで、それぞれ放射状に設けてあり、各第１凹部３１，３１，…の中間用本体３０の外周面側は開口させてある。この第１凹部３１，３１，…間のピッチは、後述する基台座部２に設けた第２凹部（図６参照）２２，２２，…間のピッチと異ならせてあればよいが、例えば、図３に示した如く、半周（１８０度）ずつ、徐々にピッチが大きくなるようにすることができる。この場合、第１凹部３１，３１，…の数と、第２凹部２２，２２，…の数とを同じにすることもできる。一方、第２凹部２２，２２，…より多数又は少数の第１凹部３１，３１，…を、第２凹部２２，２２，…のピッチより小さいピッチ又は大きいピッチで、等間隔に設けることもできる。すなわち、ピッチが小さい方の凹部（第１凹部３１，３１，…又は第２凹部２２，２２，…）の個数を、ピッチが多きい方の凹部（第２凹部２２，２２，…又は第１凹部３１，３１，…）の個数より多くする。なお、後述する第２凹部２２，２２，…間のピッチを半周（１８０度）ずつ、徐々に大きくなるようにする一方、第１凹部３１，３１，…を等間隔にしてもよい。
【００３４】
一方、中間用本体３０の裏面であって、係合部３３及び第１凹部３１，３１，…以外の部分は平坦にしてある。
【００３５】
図５及び図６は、図１に示した基台座部２を示す側面図及び平面図である。図４及び図５に示した如く。基台座部２も環状の基用本体２０を具備しており、基用本体２０の外径及び内径は前述した中間台座部３のそれと同じである。そして、前同様、基用本体２０の高さ寸法も、基用本体２０の直径方向の一側から他側にわたって漸次高くしてあり、これによって基用本体２０の表面に対して基用本体２０の裏面を所要の角度、例えば６度〜８度程度傾斜させてある。
【００３６】
基用本体２０の表面であって開口部２４の周縁部分は、他の部分より低くした環状段差部にすることによって、前述した中間用本体３０の係合部３３を嵌入させて該中間用本体３０を周方向へ案内する案内部２１になしてある。また、基用本体２０の表面周縁部には、前記第１凹部３１と同じテーパを付与した半円錐台形状の複数の第２凹部２２，２２，…が周方向へ一定のピッチで、それぞれ放射状に設けてあり、各第２凹部２２，２２，…の外周面側は開口させてある。一方、基用本体２０の表面であって、案内部２１及び第２凹部２２，２２，…以外の部分は平坦にしてある。
【００３７】
中間台座部３の係合部３３を基台座部２の案内部２１に嵌合させるように、基台座部２上に中間台座部３を載置した場合、基台座部２及び中間台座部３は共に、周方向へ回動させることができ、これによって、図１に示した如く、任意の第１凹部３１と第２凹部２２とを一致させてピン穴５を形成し、該ピン穴５内に第１凹部３１及び第２凹部２２のテーパと同じテーパを周面に付与したピン６を挿入して、基台座部２と中間台座部３との周方向の相対位置を適宜の位置で固定することができる。
【００３８】
一方、基台座部２と中間台座部３とが対向する面である基台座部２の表面及び中間台座部３の裏面に対して基台座部２の裏面及び中間台座部３の表面は、それぞれ傾斜させてあるため、各々の傾斜が相殺されるように基台座部２及び／又は中間台座部３を回動させた場合、基台座部２の裏面と中間台座部３の表面とは平行、即ち、基台座部２の裏面と中間台座部３の表面とのなす第１角度は０度である。この状態から基台座部２及び／又は中間台座部３を回動させるに従って、前記第１角度が徐々に増大し、本実施例の場合、第１角度が０度の位置から基台座部２及び中間台座部３の周方向の相対位置が１８０度異なる位置まで、基台座部２及び／又は中間台座部３を回動させたときの第１角度は１６度程度である。従って、アンカーとその周囲に施工した構造物の表面とのなす角度が直角からズレている場合、図１に示した調整台座１を用い、基台座部２及び／又は中間台座部３を回動させることによって、前記ズレが相殺されるように第１角度を調整することができる。
【００３９】
図１に示した調整台座１にあっては、上部台座部４の揺動によって更に前記ズレを相殺することができる。
【００４０】
上部台座部４は、図７及び図８に示した如く、内径及び外径が基台座部２及び中間台座部３の内径及び外径より小さい適宜高さの円形環状の上部用本体４０を具備している。上部用本体４０の表面側の周面には、平板リング状のつば部４３が上部用本体４０の表面と面一になるように突設してあり、上部用本体４０の周面であって前記つば部４３より裏面側の部分は、裏面側へ向かうに従ってその肉厚を薄くすることによって彎曲状にした雄部４２になしてある。この雄部４２の高さ寸法は、前述した中間台座部３の雌部３２の深さ寸法より少し大きくしてある。また、つば部４３の直径は、中間台座部３の直径より小さくしてある。
【００４１】
この上部台座部４はその雄部４２を、前述した中間台座部３の雌部３２に嵌入させるように中間台座３上に載置する（図１参照）。前述した如く、雌部３２は、雄部４２に応じて該雄部４２の曲率と略同じ曲率にしてあるため、雄部４２は雌部３２によってその全周において揺動可能に、また周方向へ摺動可能に支持されている。この雄部４２による上部台座部４の揺動可能角度は５度程度、即ち、中間台座部３の表面と上部台座部４の表面とがなす第２角度が０から５度程度まで可変にしてあり、これを超える揺動は、上部台座部４のつば部４３が、中間台座部３の表面であって雌部３２の周縁部３５に当接するため制限される。これによって、アンカーの展張作業中、仮に、雌部３２内で雄部４２が滑った場合でも、上部台座部４のつば部４３が中間台座部３の周縁部３５に当接してストッパとして作用するため、調整台座からアンカーに過大な荷重が負荷されることが防止され、アンカーに疵等が生ぜず、安全性が高い。
【００４２】
これによって、アンカーとその周囲に施工した土留め用の構造物の表面とのなす角度が直角から２０度程度ズレている場合であっても、基台座部２及び／又は中間台座部３を回動させて第１角度を調整すると共に、上部台座部４を揺動させて第２角度を調整することによって、上部台座部４の表面とアンカーとのなす角度を略９０度に調整することがきる。また、基台座部２をアンカー回りに回動させることによって、調整台座１の中心軸とアンカーの中心軸とを略一致させることができる。
【００４３】
図９及び図１０は、本発明に係る調整台座１の使用様態を示す側面図であり、両図中、１１は、法面１０に施工した構造物、１６はアンカーである。なお、両図中、図１に示した部分に対応する部分には同じ番号を付してその説明を省略する。図９及び図１０に示した如く、構造物１１及び法面１０を貫通し、所要深さまで開設したアンカー用穴１５内には、アンカー１６の一端側が挿入固定してあり、該アンカー１６の他端側は、構造物１１のアンカー用穴１５の周囲に配設した調整台座１内を貫通させてある。
【００４４】
この構造物１１の表面とアンカー１６の中心軸とのなす角度は、図９にあっては略直角であり、図１０にあっては直角から略１５度ずれている。従って、図９に示した場合にあっては、調整台座１の中間台座部３を回動させて前述した第１角度を０に調整した後、形成されたピン穴５にピン６を挿入して基台座部２と中間台座部３との周方向の相対位置を固定する。このとき、上部台座部４は、つば部４３が中間台座部３の表面と平行をなして安定する。
【００４５】
一方、図１０に示した場合にあっては、調整台座１の中間台座部３を回動させて前述した第１角度を略１５度に調整した後、形成されたピン穴５にピン６を挿入して基台座部２と中間台座部３との周方向の相対位置を固定する。これによって、前述した構造物１１の表面とアンカー１６の中心軸とのなす角度のズレが、第１角度の調整によって相殺されるため、上部台座部４は、つば部４３が中間台座部３の表面と略平行をなして安定する。
【００４６】
なお、構造物１１の表面とアンカー１６の中心軸とのなす角度のズレが１５度を越える場合は、更に、上部台座部４を揺動させて前述した第２角度を調整することによって、当該ズレを相殺する。
【００４７】
このように、調整台座１の基台座部２及び／若しくは中間台座部３を周方向へ摺動させ、並びに／又は上部台座部４を揺動させることによって、構造物１１の表面とアンカー１６の中心軸とのなす角度のズレを相殺することができるため、仮止めのためのジャッキによる展張を解除することなく調整台座１による調整を行うことができ、調整台座１の調整作業を少ない労力、及び短時間で行うことができる。
【００４８】
このようにして、構造物１１の表面とアンカー１６の中心軸とのなす角度のズレを相殺した後、ジャッキによってアンカー１６を展張させて楔を打入する。そして、調整台座１上に座金１２及びナット１３を装着し、ナット１３を締着することによってアンカー１６及び調整台座１を固定する。
【図面の簡単な説明】
【００４９】
【図１】本発明に係る調整台座を示す側面図である。
【図２】図１に示した中間台座部を示す側面図である。
【図３】図１に示した中間台座部を示す平面図である。
【図４】図１に示した中間台座部を示す裏面図である。
【図５】図１に示した基台座部を示す側面図である。
【図６】図１に示した基台座部を示す平面図である。
【図７】図１に示した上部台座部を示す側面図である。
【図８】図１に示した上部台座部を示す裏面図である。
【図９】本発明に係る調整台座の使用様態を示す側面図である。
【図１０】本発明に係る調整台座の使用様態を示す側面図である。
【図１１】従来の調整台座の使用様態を示す側断面図である。
【符号の説明】
【００５０】
１    調整台座
２    基台座部
３    中間台座部
４    上部台座部
５    ピン穴
６    ピン
２０    基用本体
２１    案内部
２２    第２凹部
２４    開口部
３０    中間用本体
３１    第１凹部
３２    雌部
３３    係合部
３４    開口部
３５    周縁部
４０    上部用本体
４２    雄部
４３    つば部
【図１】
2004211535.tif 000003
【図２】
2004211535.tif 000004
【図３】
2004211535.tif 000005
【図４】
2004211535.tif 000006
【図５】
2004211535.tif 000007
【図６】
2004211535.tif 000008
【図７】
2004211535.tif 000009
【図８】
2004211535.tif 000010
【図９】
2004211535.tif 000011
【図１０】
2004211535.tif 000012
【図１１】
2004211535.tif 000013